(57)【要約】【課題】品位を低下させることのない梱包箱を提供する。【解決手段】一枚のシートを折り曲げて箱状に組み立てる梱包箱において、底板部３Ａ〜３Ｄと、複数の側板部１Ａ〜１Ｄと、複数の側板部１Ａ〜１Ｄのうちの一の側板部１Ｃの上辺に連設された蓋板部２Ｃと、一部に他の部分よりも幅の狭い部分Ｐが形成されたスリット状の第１の差込孔９と、蓋板部２Ｃに設けられ、第１の差込孔９に差し込まれる第１の差込片１３とを有する。また、第１の差込片１３は、第１の差込孔９に差し込まれる際に第１の差込孔９の幅の狭い部分Ｐ以外の部分Ｑに先に差し込まれる凸部１７を有する。さらに、梱包箱は更に、第１の差込片１３に設けられた第２の差込孔１４と、第２の差込孔１４に差し込まれる第２の差込片１１とを有する。【選択図】        図１
2004217234.tif 000002
【特許請求の範囲】
【請求項１】
一枚のシートを折り曲げて箱状に組み立てる梱包箱において、
底板部と、複数の側板部と、該複数の側板部のうちの一の側板部の上辺に連設された蓋板部と、
一部に他の部分よりも幅の狭い部分が形成されたスリット状の第１の差込孔と、
前記蓋板部に設けられ、前記第１の差込孔に差し込まれる第１の差込片とを有することを特徴とする梱包箱。
【請求項２】
前記第１の差込片は、前記第１の差込孔に差し込まれる際に前記第１の差込孔の幅の狭い部分以外の部分に先に差し込まれる凸部を有することを特徴とする請求項１記載の梱包箱。
【請求項３】
前記梱包箱は更に、前記第１の差込片に設けられた第２の差込孔と、該第２の差込孔に差し込まれる第２の差込片とを有することを特徴とする請求項１又は請求項２記載の梱包箱。
【請求項４】
前記第２の差込孔は、一部に他の部分よりも幅の狭い部分が形成されていることを特徴とする請求項３記載の梱包箱。
【請求項５】
前記第２の差込片は、前記第２の差込孔に差し込まれる際に前記第２の差込孔の幅の狭い部分以外の部分に先に差し込まれる凸部を有することを特徴とする請求項３又は請求項４記載の梱包箱。
【請求項６】
前記第１の差込孔は、前記一の側板部に対向する側板部の上辺に連設された蓋板部に設けたことを特徴とする請求項１から請求項５のいずれか一項に記載の梱包箱。
【請求項７】
前記第１の差込孔は、前記一の側板部に対向する側板部に設けたことを特徴とする請求項１から請求項５のずれか一項に記載の梱包箱。
【請求項８】
一枚のシートを折り曲げて箱状に組み立てる梱包箱において、
底板部と、複数の側板部と、該複数の側板部のうちの一の側板部の上辺に連接された蓋板部と、
スリット状の第１の差込孔と、
前記蓋板部に設けられ、前記第１の差込孔に差し込まれる第１の差込片と、
該第１の差込片に設けられ、一部に他の部分よりも幅の狭い部分が形成されたスリット状の第２の差込孔と、
該第２の差込孔に差し込まれる第２の差込片とを有することを特徴とする梱包箱。
【請求項９】
前記第２の差込片は、前記第２の差込孔に差し込まれる際に前記第２の差込孔の幅の狭い部分以外の部分に先に差し込まれる凸部を有することを特徴とする請求項８記載の梱包箱。
【発明の詳細な説明】
【０００１】
【発明の属する技術分野】
本発明は、一枚のシートを折り曲げて箱状に組み立てる梱包箱に関する。
【０００２】
【従来の技術】
従来より、物品を梱包する梱包箱には、差込孔に蓋の差込片を差し込んで、蓋をロックする方式のものが提案されている（特許文献１）。図３は特許文献１に記載された梱包箱を説明するための図である。図３に示すように、梱包箱４０は、底板部４３と、複数の側板部４４と、蓋板部４１とを有し、側板部４４の側端に細長でかつ中央部が略Ｕ字形に屈曲した差込孔４５を設けることにより、略Ｕ字形のフラップ４６を形成し、差込孔４５に蓋板部４１に突設された差込片４３を挿入して、閉蓋すると、差込片４３がフラップ４６に保持されるというものである。
【０００３】
次に他の従来の梱包箱について説明する。図４は他の従来の梱包箱について説明するための図である。この従来の梱包箱は、図４に示す１枚の段ボール５０から折り上げられる。段ボール５０において、５１Ａ〜５１Ｄは、梱包箱の周壁を構成する各側板部で、夫々折り目を介して一体に連なっている。５１Ｅは糊代片である。各側板部５１Ａ〜５１Ｄの上辺には、蓋板部５２Ａ〜５２Ｄが折り目Ａを介して連設されている。
【０００４】
また、各側板部５１Ａ〜５１Ｄの下辺には、底板部５３Ａ〜５３Ｄが夫々折り目Ｂを介して連設されている。梱包箱を折上げた状態で対向する１組の蓋板部５２Ａ及び５２Ｃの大きさは、箱の蓋面（箱の開口部）に略等しい。また、蓋板部５２Ａの底辺には、スリット状の所定長さの第１の差込孔５９が形成されている。この第１の差込孔５９は、後述する第１の差込片６３を差し込むためのものである。
【０００５】
更に、第２の差込片６１を形成するためのコ字形切れ目６２と、第２の差込片６１をＬ形に折曲するための平行折り目Ｅが設けられている。また、蓋板部５２Ｃの上辺には、第１の差込孔５９に差し込まれる第１の差込片６３が、折り目Ｆを介して連設されている。この第１の差込片６３の下辺には、第２の差込片６１を差し込むためのスリット状の第２の差込孔６４が設けられている。第２の差込片６１と第２の差込孔６４によりロック部を形成している。なお、図中６５は、半円形の指掛孔である。また、蓋板部５２Ｂ、５２Ｄには、第２の差込片６１との干渉を避けるための切欠７１が設けられている。
【０００６】
これら従来の梱包箱では、寸法のバラツキを考慮して、差し込み式の蓋板部の寸法を材質厚に対して、数ｍｍ以上は確保するようにしている。また、ロック部においても数ｍｍ以上は確保するようにしている。
【０００７】
【特許文献１】
特開２００２−２９３３３２６号公報
【発明が解決しようとする課題】
しかしながら、量産時に梱包箱の切断面は潰れて端部のみが薄くなる。例えば、数ｍｍ厚の材質では半分程度にまで薄くなってしまう。そのため、梱包箱の仕上がり具合によっては、マージンを見ているＡｍｍの隙間と、蓋板部の差込しろの厚さ減Ｂｍｍと、差込片の曲げ半径Ｃｍｍとにより、蓋板部の差込片に合計Ａ＋Ｂ＋Ｃｍｍもの隙間が発生してしまう。また、特に梱包箱の中央部は太鼓状に膨らむ傾向があるため、上記隙間はさらに目立ちやすくなる。この隙間は梱包箱の品位を低下させるという問題があった。特にカラー印刷された化粧箱においては、上記隙間は品位を左右する重要な要素となる。
【０００８】
そこで、本発明は上記従来技術の問題点を解決し、品位を低下させることのない梱包箱を提供することを目的とする。
【０００９】
【課題を解決するための手段】
上記課題を解決するために、請求項１記載の梱包箱は、一枚のシートを折り曲げて箱状に組み立てる梱包箱において、底板部と、複数の側板部と、該複数の側板部のうちの一の側板部の上辺に連設された蓋板部と、一部に他の部分よりも幅の狭い部分が形成されたスリット状の第１の差込孔と、前記蓋板部に設けられ、前記第１の差込孔に差し込まれる第１の差込片とを有することを特徴とする。
【００１０】
請求項１記載の発明によれば、梱包箱は、一部に他の部分よりも幅の狭い部分が形成されたスリット状の第１の差込孔と、蓋板部に設けられ、第１の差込孔に差し込まれる第１の差込片とを有するので、第１の差込孔と第１の差込片との軽圧入の関係により、蓋板部の隙間を無くすことができる。これにより、梱包箱の品位の低下を防止できる。
【００１１】
また、請求項２記載のように、請求項１記載の梱包箱において、前記第１の差込片は、前記第１の差込孔に差し込まれる際に前記第１の差込孔の幅の狭い部分以外の部分に先に差し込まれる凸部を有することを特徴とする。請求項２記載の発明によれば、第１の差込片は、第１差込孔に差し込まれる際に第１の差込孔の幅の狭い部分以外の部分に先に差し込まれる凸部を有するので、この凸部が差込孔の幅の広い部分に先に差し込まれるため、第１の差込孔に幅の狭い部分があっても、作業性を損なうことなく、第１の差込孔に第１の差込片を簡単に差し込むことができる。
【００１２】
また、請求項３記載の梱包箱は、請求項１又は請求項２記載の梱包箱において、更に、前記第１の差込片に設けられた第２の差込孔と、該第２の差込孔に差し込まれる第２の差込片とを有することを特徴とする。請求項３記載の発明によれば、梱包箱は、第１の差込片に設けられた第２の差込孔と、第２の差込孔に差し込まれる第２の差込片とを有するので、第１の差込片をロックすることができる。そのため、蓋板部をしっかりロックし開かなくすることができる。
【００１３】
また、請求項４記載のように、請求項３記載の梱包箱において、前記第２の差込孔は、一部に他の部分よりも幅の狭い部分が形成されていることを特徴とする。請求項４記載の発明によれば、第２の差込孔は、一部に他の部分よりも幅の狭い部分が形成されているので、第２の差込孔と第２の差込片との軽圧入の関係により、蓋板部の隙間を無くすことができる。これにより、梱包箱の品位の低下を防止できる。
【００１４】
また、請求項５記載のように、請求項３又は請求項４記載の梱包箱において、前記第２の差込片は、前記第２の差込孔に差し込まれる際に前記第２の差込孔の幅の狭い部分以外の部分に先に差し込まれる凸部を有することを特徴とする。請求項５記載の発明によれば、第２の差込片は、第２の差込孔に差し込まれる際に第２の差込孔の幅の狭い部分以外の部分に先に差し込まれる凸部を有するので、この凸部が第２の差込孔の幅の広い部分に先に差し込まれるため、第２の差込孔に幅の狭い部分があっても、作業性を損なうことなく、第２の差込孔に第２の差込片を簡単に差し込むことができる。
【００１５】
また、請求項６記載のように、請求項１から請求項５のいずれか一項に記載の梱包箱において、前記第１の差込孔は、前記一の側板部に対向する側板部の上辺に連設された蓋板部に設けたことを特徴とする。
【００１６】
また、請求項７記載のように、請求項１から請求項５のずれか一項に記載の梱包箱において、前記第１の差込孔は、前記一の側板部に対向する側板部に設けたことを特徴とする。
【００１７】
また、請求項８記載の梱包箱は、一枚のシートを折り曲げて箱状に組み立てる梱包箱において、底板部と、複数の側板部と、該複数の側板部のうちの一の側板部の上辺に連接された蓋板部と、スリット状の第１の差込孔と、前記蓋板部に設けられ、前記第１の差込孔に差し込まれる第１の差込片と、該第１の差込片に設けられ、一部に他の部分よりも幅の狭い部分が形成されたスリット状の第２の差込孔と、該第２の差込孔に差し込まれる第２の差込片とを有することを特徴とする。
【００１８】
請求項８記載の発明によれば、第１の差込片に設けられ、一部に他の部分よりも幅の狭い部分が形成されたスリット状の第２の差込孔と、第２の差込孔に差し込まれる第２の差込片とを有するので、第２の差込孔と第２の差込片との軽圧入の関係により、蓋板部の隙間を無くすことができる。これにより、梱包箱の品位の低下を防止できる。
【００１９】
また、請求項９記載のように、請求項８記載の梱包箱において、前記第２の差込片は、前記第２の差込孔に差し込まれる際に前記第２の差込孔の幅の狭い部分以外の部分に先に差し込まれる凸部を有することを特徴とする。請求項９記載の発明によれば、第２の差込片は、第２の差込孔に差し込まれる際に第２の差込孔の幅の狭い部分以外の部分に先に差し込まれる凸部を有するので、この凸部が差込孔の幅の広い部分に先に差し込まれるため、第２の差込孔に幅の狭い部分があっても、作業性を損なうことなく、差込孔に差込片を簡単に差し込むことができる。
【００２０】
【発明の実施の形態】
以下、本発明を適用した実施の形態について、図面を参照しながら説明する。図１は、本実施の形態に係る梱包箱の素材となる段ボールの平面図である。また、図２は図１の段ボールを組み立てた梱包箱である。梱包箱１０１は、図１に示す１枚の段ボール１００から折り上げられる。段ボール１００において、１Ａ〜１Ｄは、梱包箱１０１の周壁を構成する各側板部で、夫々折り目を介して一体に連なっている。
【００２１】
各側板部１Ａ〜１Ｄの上辺には、蓋板部２Ａ〜２Ｄが折り目Ａを介して連設されている。また、各側板部１Ａ〜１Ｄの下辺には、底板部３Ａ〜３Ｄが夫々折り目Ｂを介して連設されている。梱包箱１０１を折上げた状態で対向する１組の蓋板部２Ａ及び２Ｃの大きさは、箱の蓋面（箱の開口部）に略等しい。
【００２２】
蓋板部２Ａの底辺には、所定長さの第１の差込孔９が設けられている。すなわち、第１の差込孔９は、一の側板部１Ｃに対向する側板部１Ａの上辺に連設された蓋板部２Ａに設けられている。第１の差込孔９は、スリット状であり、一部に他の部分よりも幅の狭い部分Ｐが形成されている。この第１の差込孔９には、後述する第１の差込片１３が差し込まれる。図１では、幅の狭い部分Ｐは、幅の広い部分Ｑの内側に設けられているがこれに限定されることなく、幅の狭い部分を外側に設けるようにしてもよい。
【００２３】
更に、第２の差込片１１を形成するためのコ字形切れ目１２と、第２の差込片１１をＬ形に折曲させるための平行折り目Ｅが設けられている。第２の差込片１１は後述する第２の差込孔１４に差し込まれる。また、第２の差込片１１は、第２の差込孔１４に差し込まれる際に第２の差込孔１４の幅の狭い部分Ｒ以外の部分Ｓに先に差し込まれる凸部１６を有する。この凸部１６は幅の狭い部分Ｒと幅の広い部分Ｓの位置に応じて設けるようにしている。図１の例では、凸部１６は第２の差込片１１の両側に設けるようにしているがこの構成には限定されない。
【００２４】
また、蓋板部２Ｃの上辺には、第１の差込孔９に差し込まれる第１の差込片１３が折り目Ｆを介して連設されている。この第１の差込片１３は、第１差込孔９に差し込まれる際に第１の差込孔９の幅の狭い部分Ｐ以外の部分Ｑに先に差し込まれる凸部１７を有する。また、第１の差込片１３の下辺には、第２の差込片１１を差し込ませるためのスリット状の第２の差込孔１４が設けられている。
この第２の差込孔１４は、一部に他の部分よりも幅の狭い部分Ｒが形成されている。図中１５は、半円形の指掛孔である。
【００２５】
蓋板片２Ｂ、２Ｄには、差込片１３との干渉を避けるための切欠２１が設けられている。梱包箱１０１の折上状態で対向する１組の底板部３Ａ、３Ｃのうち、台形をした一方の底片３Ａの下辺は凸形に形成されている。他方の底板部３Ｃの下辺は、前記凸部の突出部分を嵌め込めるよう凹形に形成されている。
【００２６】
なお、本実施の形態では、第１の差込孔９は、蓋板部２Ａに設けられているが、これに限定されることなく、第１の差込孔を、一の側板部１Ｃに対向する側板部１Ａに設けるようにしてもよい。
【００２７】
次に、段ボール１００から梱包箱１０１を組立てる手順を説明する。始めに、糊代片１Ｅによって、側板部１Ａ〜１Ｄを角筒状に連結させる。次に、角筒状態から、梱包箱１０１を折上げるには、先ず、底板部３Ａ〜３Ｄの各下片に形成した凹凸形状を互いに絡め合わせながら、箱の底板部を折上げる。次いで、各蓋板部２Ａ〜２Ｄが起立した状態の梱包箱１０１に梱包物品を収める。
【００２８】
次に、蓋板部２Ｂ，２Ｄを閉ざして、さらに蓋板部２Ａを上に重ねるように閉ざす。続いて、図２に示すように、最後の蓋板部２Ｃの第１の差込片１３を第１の差込孔９に嵌め込みながら閉ざす。そして、最後に第２の差込片１１を第２の差込孔１４に嵌め込めば、梱包作業は完了する。これにより、第１の差込孔９と第１の差込片１３との軽圧入の関係により、蓋板部の隙間を無くすことができる。これにより、梱包箱の品位の低下を防止できる。
【００２９】
また、梱包箱は、以下のように構成してもよい。一枚のシートを折り曲げて箱状に組み立てる梱包箱は、底板部と、複数の側板部と、複数の側板部のうちの一の側板部の上辺に連接された蓋板部と、スリット状の第１の差込孔と、蓋板部に設けられ、記第１の差込孔に差し込まれる第１の差込片と、第１の差込片に設けられ、一部に他の部分よりも幅の狭い部分が形成されたスリット状の第２の差込孔と、第２の差込孔に差し込まれる第２の差込片とを有するようにしてもよい。さらに、第２の差込片は、第２の差込孔に差し込まれる際に第２の差込孔の幅の狭い部分以外の部分に先に差し込まれる凸部を有するようにしてもよい。
【００３０】
また、上述した本実施の形態によれば、一枚のシートを折り曲げて箱状に組み立てる梱包箱１０１は、底板部３Ａ〜３Ｄと、複数の側板部１Ａ〜１Ｄと、複数の側板部１Ａ〜１Ｄのうちの一の側板部１Ｃの上辺に連設された蓋板部２Ｃと、一部に他の部分Ｑよりも幅の狭い部分Ｐが形成されたスリット状の第１の差込孔９と、蓋板部２Ｃに設けられ、第１の差込孔９に差し込まれる第１の差込片１３とを有する。このため、第１の差込孔９と第１の差込片１３との軽圧入の関係により、蓋板部２Ｃの隙間を無くすことができる。これにより、梱包箱１０１の品位の低下を防止できる。
【００３１】
また、上記梱包箱１０１において、第１の差込片１３は、第１差込孔９に差し込まれる際に第１の差込孔９の幅の狭い部分Ｐ以外の部分Ｑに先に差し込まれる凸部１７を有する。このため、この凸部１７が第１の差込孔９の幅の広い部分Ｑに先に差し込まれるため、第１の差込孔９に幅の狭い部分Ｐがあっても、作業性を損なうことなく、第１の差込孔９に第１の差込片１３を簡単に差し込むことができる。また、梱包箱１０１は更に、第１の差込片１３に設けられた第２の差込孔１４と、該第２の差込孔１４に差し込まれる第２の差込片１１とを有するので、第１の差込片１３をロックすることができる。そのため、蓋板部２Ｃをしっかりとロックし開かなくすることができる。
【００３２】
さらに、第２の差込孔１４は、一部に他の部分Ｓよりも幅の狭い部分Ｒが形成されている。このため、第２の差込孔１４と第２の差込片１１との軽圧入の関係により、蓋板部２Ｃの隙間を無くすことができる。これにより、梱包箱１０１の品位の低下を防止できる。
【００３３】
また、第２の差込片１１は、第２の差込孔１４に差し込まれる際に第２の差込孔１４の幅の狭い部分Ｒ以外の部分Ｓに先に差し込まれる凸部１６を有する。従って、この凸部１６が第２の差込孔１４の幅の広い部分Ｓに先に差し込まれるため、第２の差込孔１４に幅の狭い部分Ｒがあっても、作業性を損なうことなく、第２の差込孔１４に第２の差込片１１を簡単に差し込むことができる。
【００３４】
以上、本発明の一実施の形態を説明した。本発明は上記実施の形態に限定されるものではなく、本発明の要旨の範囲内において種々の変形が可能である。本実施の形態において、シートにはダンボールに限定されることなく、シート状のものが全て含まれる。
【００３５】
【発明の効果】
以上説明した本発明によれば、第１の差込孔と第１の差込片との軽圧入の関係により、蓋板部の隙間を無くすことができる。これにより、梱包箱の品位の低下を防止できる。
【図面の簡単な説明】
【図１】本実施の形態に係る梱包箱の素材となる段ボールの平面図である。
【図２】図１の段ボールを組み立てた梱包箱を示す図である。
【図３】特許文献１記載の梱包箱を説明するための図である。
【図４】他の従来の梱包箱を説明するための図である。
【符号の説明】
９  第１の差込孔
１１  第２の差込片
１３  第１の差込片
１４  第２の差込孔
１６  凸部
１７  凸部
【図１】
2004217234.tif 000003
【図２】
2004217234.tif 000004
【図３】
2004217234.tif 000005
【図４】
2004217234.tif 000006